(57)【要約】【課題】水中での放電を行う水処理槽の絶縁構造を小型化する。【解決手段】貯留槽（30）と、水中で放電を生起させて殺菌因子を生成する水処理槽（10a,10b）と、水処理槽（10a,10b）において放電を生起させるための一対の電極（16,17）とを備え、水処理槽（10a,10b）が貯留槽（30）と非連通となり水処理槽（10a,10b）内の水に一対の電極（16,17）が浸かって放電が生起される放電状態と、一対の電極（16,17）が水処理槽（10a,10b）内の水から抜け出て放電を停止すると共に水処理槽（10a,10b）内の水が貯留槽（30）内の水と入れ換え可能な給排水状態とが相互に切り換わるように、水処理槽（10a,10b）を貯留槽内（30）で往復動させる駆動機構（55）を備えている。【選択図】図５
2016123926.tif 000002
【特許請求の範囲】
【請求項１】
水を貯留する貯留槽（30）と、
貯留した水の中で放電を生起させて殺菌因子を生成する水処理槽（10a,10b）と、
上記水処理槽（10a,10b）において上記放電を生起させるための一対の電極（16,17）とを備えた水処理装置であって、
上記水処理槽（10a,10b）が上記貯留槽（30）と非連通となり該水処理槽（10a,10b）内の水に上記一対の電極（16,17）が浸かって上記放電が生起される放電状態と、上記一対の電極（16,17）が上記水処理槽（10a,10b）内の水から抜け出て上記放電を停止すると共に該水処理槽（10a,10b）内の水が上記貯留槽（30）内の水と入れ換え可能な給排水状態とが相互に切り換わるように、上記水処理槽（10a,10b）を上記貯留槽内（30）で往復動させる駆動機構（55）を備えていることを特徴とする水処理装置。
【請求項２】
請求項１において、
上記駆動機構（55）は、上記貯留槽（30）内で水平面と平行な回転軸（S）周りに所定の角度範囲で回動可能に支持されて上記水処理槽（10a,10b）が取り付けられる揺動部材（25）を備えていることを特徴とする水処理装置。
【請求項３】
請求項２において、
上記揺動部材（25）に突設されて上記貯留槽（30）内の水を撹拌する撹拌部材（26）を備えていることを特徴とする水処理装置。
【請求項４】
請求項２又は３において、
上記水処理槽（10b）は、該水処理槽（10b）の移動に連動して開閉し、上記放電状態で閉じて上記水処理槽（10b）と上記貯留槽（30）との間を遮断し、上記給排水状態で開いて上記水処理槽（10b）を上記貯留槽（30）と連通させる弁機構（15）を備えていることを特徴とする水処理装置。
【請求項５】
請求項１〜４の何れか１つにおいて、
上記水処理槽（10a,10b）は、該水処理槽（10a,10b）内を上記一対の電極（16,17）の一方が浸かる部分と上記一対の電極（16,17）の他方が浸かる部分とに仕切る電気絶縁材料からなる仕切板（11）を備え、
上記仕切板（11）には、上記一対の電極（16,17）の間の電流経路を構成して上記放電を生起させる貫通孔（12h）が形成されていることを特徴とする水処理装置。
【請求項６】
請求項２〜５の何れか１つにおいて、
上記貯留槽（30）内の水に一部が浸漬した状態で設置される加湿ロータ（50）と、
上記加湿ロータ（50）を回転駆動するモータ（M）とを備え、
上記駆動機構（55）は、上記モータ（M）によって上記揺動部材（25）を駆動するように構成されていることを特徴とする水処理装置。
【発明の詳細な説明】
【技術分野】
【０００１】
本発明は、水処理装置に関し、特に、水処理装置の絶縁構造に関するものである。
【背景技術】
【０００２】
従来より、処理槽内に貯留した水の中で放電を行うことにより水を浄化する水処理装置が知られている。
【０００３】
例えば、特許文献１には、処理槽内の水中で放電を生起し水中に殺菌因子を生成する水処理部の流入側及び流出側に、水処理部に連通する処理水と水処理部とを電気的に絶縁する絶縁部がそれぞれ設けられた水処理装置が開示されている。そして、特許文献１では、水処理部の流入側及び流出側に絶縁部を備えているので、水処理部から水処理部に連通する水に電気が流れることがなく、投入した電力が効率よく使用される、と記載されている。
【先行技術文献】
【特許文献】
【０００４】
【特許文献１】特開２０１４−７９７３３号公報
【発明の概要】
【発明が解決しようとする課題】
【０００５】
ところで、加湿機能を有する空気清浄装置は、空気を加湿するための加湿ロータと、その加湿ロータの下部を収容すると共に、気化させる水を貯留する貯留槽とを備えている。このような構成の空気清浄装置では、貯留槽内の水を浄化することが提案されている。ここで、上記特許文献１に開示された水処理装置では、流入側の絶縁部が水を噴霧させるように構成され、流出側の絶縁部が水を雫状に落下させるように構成されているので、流入側及び流出側の絶縁部が大型になってしまう。そのため、室内に設置される空気清浄装置において、上記特許文献１に開示されたような水処理装置を収納することが困難である。
【０００６】
本発明は、かかる点に鑑みてなされたものであり、その目的とするところは、水中での放電を行う水処理槽の絶縁構造を小型化することにある。
【課題を解決するための手段】
【０００７】
上記目的を達成するために、本発明は、駆動機構（55）による貯留槽（30）内での水処理槽（10a,10b）の往復動によって、水処理槽（10a,10b）の放電状態と給排水状態とを切り換えるようにしたものである。
【０００８】
具体的に第１の発明は、水を貯留する貯留槽（30）と、貯留した水の中で放電を生起させて殺菌因子を生成する水処理槽（10a,10b）と、上記水処理槽（10a,10b）において上記放電を生起させるための一対の電極（16,17）とを備えた水処理装置であって、上記水処理槽（10a,10b）が上記貯留槽（30）と非連通となり該水処理槽（10a,10b）内の水に上記一対の電極（16,17）が浸かって上記放電が生起される放電状態と、上記一対の電極（16,17）が上記水処理槽（10a,10b）内の水から抜け出て上記放電を停止すると共に該水処理槽（10a,10b）内の水が上記貯留槽（30）内の水と入れ換え可能な給排水状態とが相互に切り換わるように、上記水処理槽（10a,10b）を上記貯留槽内（30）で往復動させる駆動機構（55）を備えていることを特徴とするものである。
【０００９】
上記第１の発明では、水処理槽（10a,10b）は、駆動機構（55）によって貯留槽（30）内で往復動することにより、水中での放電が生起される放電状態と、その放電が生起されない給排水状態とが相互に切り換わるように構成されている。ここで、水処理槽（10a,10b）が放電状態のときには、水処理槽（10a,10b）が貯留槽（30）と非連通となり水処理槽（10a,10b）内の水に一対の電極（16,17）が浸かって水中での放電が生起される。これにより、水処理槽（10a,10b）が放電状態のときには、水処理槽（10a,10b）が貯留槽（30）と非連通となるので、水処理槽（10a,10b）内の水と貯留槽（30）内の水とが電気的に絶縁され、貯留槽（30）内の水に電気が流れなくすることができる。また、水処理槽（10a,10b）が給排水状態のときには、一対の電極（16,17）が水処理槽（10a,10b）内の水から抜け出て放電を停止すると共に水処理槽（10a,10b）内の水が貯留槽（30）内の水と入れ換え可能になる。これにより、水処理槽（10a,10b）が給排水状態のときには、水処理槽（10a,10b）内の水が貯留槽（30）内の水と入れ換わることにより、水処理槽（10a,10b）が貯留槽（30）と連通しても、一対の電極（16,17）が水処理槽（10a,10b）内の水から抜け出るので、貯留槽（30）内の水に電気が流れなくすることができる。このような構成により、水処理槽（10a,10b）の絶縁構造は、水処理槽（10a,10b）が放電状態及び給排水状態の何れのときにおいても機能するので、例えば、上記特許文献１に開示された水を雫状に落下させるような絶縁構造や水を噴霧するような絶縁構造よりも小型になる。したがって、水中での放電を行う水処理槽（10a,10b）の絶縁構造を小型化することができる。
【００１０】
第２の発明は、上記第１の発明において、上記駆動機構（55）は、上記貯留槽（30）内で水平面と平行な回転軸（S）周りに所定の角度範囲で回動可能に支持されて上記水処理槽（10a,10b）が取り付けられる揺動部材（25）を備えていることを特徴とするものである。
【００１１】
上記第２の発明では、駆動機構（55）は、貯留槽（30）内で水平面と平行な回転軸（S）周りに所定の角度範囲で回動可能に支持された揺動部材（25）を備えている。ここで、揺動部材（25）には、水処理槽（10a,10b）が取り付けられているので、揺動部材（25）が所定の角度範囲で回動することによって、水処理槽（10a,10b）が貯留槽（30）内で往復動して、水処理槽（10a,10b）の放電状態と給排水状態とを相互に切り換えることができる。
【００１２】
第３の発明は、上記第２の発明において、上記揺動部材（25）に突設されて上記貯留槽（30）内の水を撹拌する撹拌部材（26）を備えていることを特徴とするものである。
【００１３】
上記第３の発明では、揺動部材（25）には、撹拌部材（26）が突設されているので、揺動部材（25）が所定の角度範囲で回動することによって、貯留槽（30）内の水が撹拌され、水処理槽（10a,10b）が給排水状態のときにおいて、水処理槽（10a,10b）内の水と貯留槽（30）内の水とを効率よく入れ換えることができる。
【００１４】
第４の発明は、上記第２又は第３の発明において、上記水処理槽（10b）は、該水処理槽（10b）の移動に連動して開閉し、上記放電状態で閉じて上記水処理槽（10b）と上記貯留槽（30）との間を遮断し、上記給排水状態で開いて上記水処理槽（10b）を上記貯留槽（30）と連通させる弁機構（15）を備えていることを特徴とするものである。
【００１５】
上記第４の発明では、水処理槽（10b）は、水処理槽（10b）の移動に連動して開閉する弁機構（15）を備えている。ここで、弁機構（15）は、水処理槽（10b）が放電状態のときに閉じて水処理槽（10b）と貯留槽（30）との間を遮断するので、水処理槽（10b）が貯留槽（30）と非連通となり、水処理槽（10b）内の水と貯留槽（30）内の水とが電気的に絶縁され、貯留槽（30）内の水に電気が流れなくすることができる。また、弁機構（15）は、水処理槽（10b）が給排水状態のときに開いて水処理槽（10b）を貯留槽（30）と連通させるので、水処理槽（10b）内の水と貯留槽（30）内の水とを効率よく入れ換えることができる。
【００１６】
第５の発明は、上記第１〜第３の何れか１つの発明において、上記水処理槽（10a,10b）は、該水処理槽（10a,10b）内を上記一対の電極（16,17）の一方が浸かる部分と上記一対の電極（16,17）の他方が浸かる部分とに仕切る電気絶縁材料からなる仕切板（11）を備え、上記仕切板（11）には、上記一対の電極（16,17）の間の電流経路を構成して上記放電を生起させる貫通孔（12h）が形成されていることを特徴とするものである。
【００１７】
上記第５の発明では、水処理槽（10a,10b）は、水処理槽（10a,10b）内を一対の電極（16,17）の一方が浸かる部分と一対の電極（16,17）の他方が浸かる部分とに仕切る電気絶縁材料からなる仕切板（11）とを備えている。ここで、仕切板（11）には、一対の電極（16,17）の間の電流経路を構成する貫通孔（12h）が形成されている。そのため、一対の電極（16,17）の間に電圧が印加されると、水処理槽（10a,10b）内に貯留した水の中において、一対の電極（16,17）の間の電流経路となる仕切板（11）の貫通孔（12h）で気泡が形成され、その気泡内で放電が生起する。これにより、水処理槽（10a,10b）内に貯留した水の中に水酸ラジカルなどの殺菌因子を生成することができる。
【００１８】
第６の発明は、上記第２〜第５の何れか１つの発明において、上記貯留槽（30）内の水に一部が浸漬した状態で設置される加湿ロータ（50）と、上記加湿ロータ（50）を回転駆動するモータ（M）とを備え、上記駆動機構（55）は、上記モータ（M）によって上記揺動部材（25）を駆動するように構成されていることを特徴とするものである。
【００１９】
上記第６の発明では、駆動機構（55）は、加湿ロータ（50）を回転駆動するモータ（M）によって揺動部材（25）を駆動するように構成されているので、揺動部材（25）を駆動するためだけのモータが不要になり、水処理装置（80a,80b）のコストを低減することができる。
【発明の効果】
【００２０】
本発明によれば、駆動機構（55）による貯留槽（30）内での水処理槽（10a,10b）の往復動によって、水処理槽（10a,10b）の放電状態と給排水状態とを切り換えるので、水中での放電を行う水処理槽の絶縁構造を小型化することにある。
【図面の簡単な説明】
【００２１】
【図１】実施形態１に係る空気清浄装置の内部構造を側方から見た概略構成図である。
【図２】実施形態１に係る空気清浄装置を構成する水処理槽の仕切板の要部を示す模式図である。
【図３】実施形態１に係る空気清浄装置の内部構造の一部を上方から見た概略構成図である。
【図４】実施形態１に係る空気清浄装置を構成する駆動機構の揺動部材の動作を説明するための第１の説明図である。
【図５】実施形態１に係る空気清浄装置を構成する駆動機構の揺動部材の動作を説明するための第２の説明図である。
【図６】実施形態１に係る空気清浄装置を構成する駆動機構の揺動部材の動作を説明するための第３の説明図である。
【図７】実施形態１に係る空気清浄装置を構成する駆動機構の揺動部材の動作を説明するための第４の説明図である。
【図８】実施形態１に係る空気清浄装置を構成する駆動機構の揺動部材の変形例を側方から見た模式図である。
【図９】実施形態１に係る空気清浄装置を構成する駆動機構の揺動部材の変形例を前方から見た模式図である。
【図１０】実施形態２に係る空気清浄装置を構成する駆動機構の揺動部材の動作を説明するための第１の説明図である。
【図１１】実施形態２に係る空気清浄装置を構成する駆動機構の揺動部材の動作を説明するための第２の説明図である。
【図１２】実施形態２に係る空気清浄装置を構成する駆動機構の揺動部材の動作を説明するための第３の説明図である。
【図１３】実施形態３に係る空気清浄装置の内部構造を側方から見た概略構成図である。
【発明を実施するための形態】
【００２２】
以下、本発明の実施形態を図面に基づいて詳細に説明する。なお、本発明は、以下の各実施形態に限定されるものではない。
【００２３】
《発明の実施形態１》
図１〜図９は、本発明に係る水処理装置の１つの実施形態を示している。なお、本実施形態では、水処理装置として、加湿機能を有する空気清浄装置を例示する。ここで、図１は、本実施形態の空気清浄装置（80a）の内部構造を側方から見た概略構成図である。また、図２は、空気清浄装置（80a）を構成する水処理槽（10a）の仕切板（11）の要部を示す模式図である。また、図３は、空気清浄装置（80a）の内部構造の一部を上方から見た概略構成図である。また、図４〜図７は、空気清浄装置（80a）を構成する駆動機構（55）の揺動部材（25）の動作を説明するための第１〜第４の説明図である。また、図８は、揺動部材（25）の変形例を側方から見た模式図であり、図９は、揺動部材（25）の変形例を前方（図８中左側）から見た模式図である。
【００２４】
空気清浄装置（80a）は、図１に示すように、樹脂製のケーシング（1）と、ケーシング（1）内に収納された空気清浄ユニット（45）、加湿ロータ（50）、水処理ユニット（40）及びファン（60）とを備えている。
【００２５】
＜ケーシング＞
ケーシング（1）は、直方体の箱状に形成されている。また、ケーシング（1）には、図１に示すように、その前面（図中左側）にケーシング（1）内に空気を導入するための吸込口（2）が形成されている。また、ケーシング（1）には、図１に示すように、その上部後方寄りの部分にケーシング（1）内の空気を室内へ吹き出すための吹出口（3）が形成されている。また、ケーシング（1）の内部には、図１に示すように、吸込口（2）から吹出口（3）に向けて、空気が流れる空気通路（5）が形成されている。ここで、空気通路（5）内には、図１に示すように、空気の流れの上流側から下流側に向かって、空気清浄ユニット（45）、加湿ロータ（50）、水処理ユニット（40）及びファン（60）が順に設けられている。なお、ケーシング（1）の前面（図１中左側）には、吸込口（2）を塞がないように、前面パネル（不図示）が取り付けられている。
【００２６】
＜空気清浄ユニット＞
空気清浄ユニット（45）は、図１に示すように、空気の流れの上流側から下流側に向かって順に設けられたプレフィルタ（41）、イオン化部（42）、静電フィルタ（43）及び脱臭フィルタ（44）を備え、空気通路（5）内を流れる空気を浄化するように構成されている。
【００２７】
プレフィルタ（41）は、空気通路（5）の吸込口側から吸い込まれた空気中の比較的大きな塵埃を捕集するように構成されている。
【００２８】
イオン化部（42）は、プレフィルタ（41）を通過した空気中の比較的小さな塵埃を、例えば、正の電荷に帯電させるように構成されている。また、イオン化部（42）は、例えば、互いに対向する線状電極及び板状電極を備え、両電極に電圧を印加することにより、両電極の間にコロナ放電を生起させるように構成されている。
【００２９】
静電フィルタ（43）は、イオン化部（42）で帯電された塵埃を電気的に誘引して捕捉するように構成されている。
【００３０】
脱臭フィルタ（44）は、ハニカム構造の基材の表面に空気を脱臭するための脱臭剤が担持されて構成されている。ここで、脱臭剤としては、空気中の被処理成分（臭気物質や有害物質）を吸着する吸着剤、その被処理成分を酸化分解するための触媒などが用いられる。
【００３１】
＜水処理ユニット＞
水処理ユニット（40）は、図１に示すように、ケーシング（1）の底部に設置される貯留槽（30）と、貯留槽（30）内に設けられた水処理槽（10a）と、ケーシング（1）内に固定された第１電極（16）及び第２電極（17）と、水処理槽（10a）の上方に設置される水タンク（20）とを備えている。
【００３２】
〜貯留槽〜
貯留槽（30）は、水タンク（20）から供給された水を貯留するように構成されている。ここで、貯留槽（30）は、ケーシング（1）の側面側（図１中の手前側）からケーシング（1）の外内に出し入れ可能に構成されている。
【００３３】
〜水処理槽〜
水処理槽（10a）は、貯留した水の中で放電を生起させて殺菌因子を生成するように構成されている。また、水処理槽（10a）は、図１、図３〜図７に示すように、円板状の揺動部材（25）の表面に取り付けられている。また、水処理槽（10a）は、図４〜図７に示すように、その一部が揺動部材（25）の円弧に沿い、その円弧に沿う扇形内に形成された箱体状の水槽である。
【００３４】
揺動部材（25）は、図３〜図７に示すように、貯留槽（30）内で水平面と平行な回転軸（S）周りに所定の角度範囲で回動可能に貯留槽（30）に支持されている。また、揺動部材（25）は、水処理槽（10a）を貯留槽（30）内に往復動させる駆動機構（55）の一部を構成している。なお、揺動部材（25）には、図８及び図９に示すように、撹拌部材（26）が突設されていてもよい。ここで、撹拌部材（26）は、図８及び図９に示すように、揺動部材（25）の裏面の略半面に水車状に形成されている。
【００３５】
駆動機構（55）は、図３に示すように、相対的に大きく形成された第１歯車（21）と、相対的に小さく形成された第２歯車（22）及び第３歯車（23）と、第２歯車（22）及び第３歯車（23）を連結する連結ロッド（24）と、周縁部に歯が切られた揺動部材（25）とを備えている。ここで、第１歯車（21）は、加湿ロータ（50）を回転駆動する駆動モータ（M）の駆動軸に固定された歯車に咬合して回転するように構成されている。また、第２歯車（22）は、第１歯車（21）に咬合して回転するように構成されている。また、第３歯車（23）は、図４〜図７に示すように、第２歯車（22）に連結された連結ロッド（24）の移動によって、所定の角度範囲で回動するように構成されている。また、揺動部材（25）は、図４〜図７に示すように、第３歯車（23）に咬合して所定の角度範囲で回動するように構成されている。
【００３６】
上記構成の水処理槽（10a）は、揺動部材（25）が回動することによって、例えば、図５に示す放電状態と、図４、図６及び図７に示す給排水状態とが相互に切り換わるように構成されている。ここで、水処理槽（10a）が放電状態のときには、図５に示すように、水処理槽（10a）が貯留槽（30）と非連通となり、水処理槽（10a）内に貯留した水に第１電極（16）及び第２電極（17）が浸かって水中での放電が生起される。また、水処理槽（10）が給排水状態のときには、図４、図６及び図７に示すように、第１電極（16）及び第２電極（17）が水処理槽（10a）内に貯留した水から抜け出て水中での放電が停止されると共に、水処理槽（10a）内に貯留した水が貯留槽（30）内の水と入れ替え可能になっている。
【００３７】
水処理槽（10a）は、水処理槽（10a）内を第１電極（16）が浸かる部分と第２電極（17）が浸かる部分とに仕切る仕切板（11）を備えている。ここで、仕切板（11）を含む水処理槽（10）は、電気絶縁材料により構成されている。また、仕切板（11）には、図２に示すように、例えば、セラミックス製の電気絶縁材料からなる円板状の放電部材（12）が嵌め込まれている。さらに、放電部材（12）には、図２に示すように、第１電極（16）及び第２電極（17）の間の電流経路を構成する微小な（例えば、直径５０μｍ程度の）貫通孔（12h）が形成されている。なお、本実施形態では、水処理槽（10a）の第１電極（16）が浸かる部分と水処理槽（10a）の第２電極（17）が浸かる部分とが揺動部材（25）の表面に取り付けられた構成を例示したが、例えば、水処理槽（10a）の第１電極（16）が浸かる部分が揺動部材（25）の裏面に取り付けられ、水処理槽（10a）の第２電極（17）が浸かる部分が揺動部材（25）の表面に取り付けられ、揺動部材（25）内に放電部材（12）が埋め込まれた構成であってもよい。
【００３８】
〜電極〜
第１電極（16）及び第２電極（17）は、互いに対向するように板状に形成されている。また、第１電極（16）及び第２電極（17）は、例えば、耐腐食性の高い金属材料で構成されている。そして、第１電極（16）及び第２電極（17）は、図１に示すように、高電圧発生部（18）に接続されている。ここで、高電圧発生部（18）は、第１電極（16）及び第２電極（17）に所定の電圧を印加する電源により構成されている。また、高電圧発生部（18）は、第１電極（16）及び第２電極（17）に対して、例えば、正負が入れ替わる交番波形の電圧を印加するように構成されている。
【００３９】
〜水タンク〜
水タンク（20）は、ケーシング（1）の側面側（図１中の奥側）からケーシング（1）の外内に出し入れ可能に構成されている。すなわち、水タンク（20）は、ケーシング（1）内に着脱自在に収容されている。また、水タンク（20）は、貯留槽（30）の水位が低くなると、タンク内に貯留した水を貯留槽（30）に適宜供給するように構成されている。
【００４０】
＜加湿ロータ＞
加湿ロータ（50）は、例えば、吸水性を有する不織布製の円板状の部材により構成されている。また、加湿ロータ（50）は、水処理ユニット（40）の貯留槽（30）内に貯留した水に下部が浸漬した状態に設置される。また、加湿ロータ（50）は、駆動モータ（M）によって回転駆動するように構成されている。
【００４１】
＜ファン＞
ファン（60）は、吸込口（2）から室内の空気を吸い込み、空気通路（5）内の空気流を生成し、吹出口（3）から室内に空気を吹き出すように構成されている。ここで、ファン（60）は、例えば、シロッコファンにより構成されている。
【００４２】
―運転動作−
次に、本実施形態の空気清浄装置（80a）の運転動作について説明する。ここで、空気清浄装置（80a）では、基本的に、水処理ユニット（40）において水の浄化運転が行われ、空気清浄ユニット（45）において室内空気を浄化しながら、加湿ロータ（50）において、浄化処理が行われた水を用いて加湿運転が行われる。
【００４３】
＜水の浄化運転＞
水の浄化運転では、ケーシング（1）内に水処理槽（10a）が支持された貯留槽（30）と水道水が予め充填された水タンク（20）とが順に設置される。さらに、高電圧発生部（18）から第１電極（16）及び第２電極（17）に所定の電圧が印加される。
【００４４】
貯留槽（30）及び水タンク（20）が設置されると、貯留槽（30）内に水タンク（20）の水が貯留される。
【００４５】
貯留槽（30）内に水が貯留されると、駆動モータ（M）の駆動により、揺動部材（25）が時計周りに回動することにより、図４に示すように、貯留槽（30）内の水が水処理槽（10a）内に汲み上げられる。このとき、水処理槽（10a）は、給排水状態である。
【００４６】
処理槽（10a）内に水が汲み上げられ、駆動モータ（M）の駆動により、揺動部材（25）が時計周りにさらに回動することにより、図５に示すように、水処理槽（10a）と貯留槽（30）とが非連通となり、水処理槽（10a）内に貯留した水に第１電極（16）及び第２電極（17）が浸かって、水中で放電が生起される。このとき、水処理槽（10a）は、給排水状態から放電状態に切り換わる。
【００４７】
ここで、水処理槽（10a）内に貯留した水に第１電極（16）及び第２電極（17）が浸かると、仕切板（11）の放電部材（12）に形成された貫通孔（12h）の電流経路の電流密度が上昇する。
【００４８】
貫通孔（12h）内の電流経路の電流密度が上昇すると、貫通孔（12h）において発生するジュール熱が多くなる。その結果、放電部材（12）では、貫通孔（12h）の内部および出入口の近傍において、水が気化し、貫通孔（12h）に気泡（C）が形成される。この気泡（C）は、図２に示すように、貫通孔（12h）の全域を覆う状態となる。この状態では、気泡（C）が第１電極（16）及び第２電極（17）の間で水を介した導電を阻止する抵抗として機能する。これにより、第１電極（16）及び第２電極（17）と水との間に電位差がほぼなくなり、気泡（C）と水との界面が電極となる。すると、気泡（C）内において、絶縁破壊が起こり、放電が発生する。
【００４９】
このようにして、気泡（C）内で放電が行われると、水処理槽（10a）内に貯留した水の中に水酸ラジカルなどの殺菌因子が生成される。
【００５０】
その後、駆動モータ（M）の駆動により、図６に示すように、揺動部材（25）が反時計周りに回動することにより、第１電極（16）及び第２電極（17）が水処理槽（10a）内に貯留した水から抜け出る。このとき、水処理槽（10a）は、放電状態から給排水状態に切り換わる。
【００５１】
駆動モータ（M）の駆動により、図７に示すように、揺動部材（25）が反時計周りにさらに回動することにより、水処理槽（10a）内の水が貯留槽（30）内の水と入れ替わる。このとき、水処理槽（10a）は、給排水状態である。
【００５２】
その後、駆動モータ（M）の駆動により、揺動部材（25）が時計周りに回動することにより、水処理槽（10a）は、図４に示す給排水状態に戻る。
【００５３】
このようにして、水処理槽（10a）は、図４に示すような給排水状態と、図５に示すような放電状態と、図６に示すような給排水状態と、図７に示すような給排水状態とを、例えば、１分間に１周するように順に繰り返すことにより、放電状態と給排水状態とが相互に切り換わって、水の浄化運転が行われる。
【００５４】
＜加湿運転＞
加湿運転では、ファン（60）が運転されると共に、加湿ロータ（50）が駆動モータによって回転駆動される。また、イオン化部（42）の電極間に電圧が印加される。
【００５５】
ファン（60）が運転されると、室内の空気が吸込口（2）からケーシング（1）内の空気通路（5）に導入される。空気通路（5）に導入された空気は、プレフィルタ（41）を通過してそのプレフィルタ（41）で塵埃が捕捉された後、イオン化部（42）を通過する。イオン化部（42）では、電極間でコロナ放電が行われており、このコロナ放電により空気中の塵埃が帯電される。イオン化部（42）を通過した空気は、静電フィルタ（43）を通過する。静電フィルタ（43）では、イオン化部（42）で帯電した塵埃が電気的に誘引されて捕捉される。静電フィルタ（43）を通過した空気は、脱臭フィルタ（44）を流れる。脱臭フィルタ（44）では、空気中に含まれる被処理成分（臭気物質や有害物質）が除去される。脱臭フィルタ（44）を通過した空気は、加湿ロータ（50）を通過する。
【００５６】
加湿ロータ（50）では、貯留槽（30）内に貯留した水がロータ本体に吸着される。加湿ロータ（50）を空気が通過すると、加湿ロータ（50）に吸着された水分が空気中へ放出される。
【００５７】
このようにして、加湿運転が行われる。
【００５８】
―実施形態１の効果―
以上説明したように、本実施形態の空気清浄装置（80a）によれば、水処理槽（10a）は、駆動機構（55）によって貯留槽（30）内で往復動することにより、水中での放電が生起される放電状態と、その放電が生起されない給排水状態とが相互に切り換わるように構成されている。ここで、水処理槽（10a）が放電状態のときには、水処理槽（10a）が貯留槽（30）と非連通となり水処理槽（10a）内の水に第１電極（16）及び第２電極（17）が浸かって水中での放電が生起される。これにより、水処理槽（10a）が放電状態のときには、水処理槽（10a）が貯留槽（30）と非連通となるので、水処理槽（10a）内の水と貯留槽（30）内の水とが電気的に絶縁され、貯留槽（30）内の水に電気が流れなくすることができる。また、水処理槽（10a）が給排水状態のときには、第１電極（16）及び第２電極（17）が水処理槽（10a）内の水から抜け出て放電を停止すると共に水処理槽（10a）内の水が貯留槽（30）内の水と入れ換え可能になる。これにより、水処理槽（10a）が給排水状態のときには、水処理槽（10a）内の水が貯留槽（30）内の水と入れ換わることにより、水処理槽（10a）が貯留槽（30）と連通しても、一対の電極（16,17）が水処理槽（10a,10b）内の水から抜け出るので、貯留槽（30）内の水に電気が流れなくすることができる。このような構成により、水処理槽（10a）の絶縁構造は、水処理槽（10a）が放電状態及び給排水状態の何れのときにおいても機能するので、例えば、上記特許文献１に開示された水を雫状に落下させるような絶縁構造や水を噴霧するような絶縁構造よりも小型になる。したがって、水中での放電を行う水処理槽（10a）の絶縁構造を小型化することができる。
【００５９】
また、本実施形態の空気清浄装置（80a）によれば、駆動機構（55）は、貯留槽（30）内で水平面と平行な回転軸（S）周りに所定の角度範囲で回動可能に支持された揺動部材（25）を備えている。ここで、揺動部材（25）には、水処理槽（10a）が取り付けられているので、揺動部材（25）が所定の角度範囲で回動することによって、水処理槽（10a）が貯留槽（30）内で往復動して、水処理槽（10a）の放電状態と給排水状態とを相互に切り換えることができる。
【００６０】
また、本実施形態の空気清浄装置（80a）によれば、水処理槽（10a）は、水処理槽（10a,）内を第１電極（16）が浸かる部分と第２電極（17）が浸かる部分とに仕切る電気絶縁材料からなる仕切板（11）とを備えている。ここで、仕切板（11）の放電部材（12）には、第１電極（16）及び第２電極（17）の間の電流経路を構成する貫通孔（12h）が形成されている。そのため、第１電極（16）及び第２電極（17）の間に電圧が印加されると、水処理槽（10a）内に貯留した水の中において、第１電極（16）及び第２電極（17）の間の電流経路となる放電部材（12）の貫通孔（12h）で気泡（C）が形成され、その気泡（C）内で放電が生起する。これにより、水処理槽（10a）内に貯留した水の中に水酸ラジカルなどの殺菌因子を生成することができる。
【００６１】
また、本実施形態の空気清浄装置（80a）によれば、駆動機構（55）は、加湿ロータ（50）を回転駆動する駆動モータ（M）によって揺動部材（25）を駆動するように構成されているので、揺動部材（25）を駆動するためだけのモータが不要になり、水処理装置（80a）のコストを低減することができる。
【００６２】
また、本実施形態の空気清浄装置（80a）によれば、揺動部材（25）に撹拌部材（26）が突設されている場合には、揺動部材（25）が所定の角度範囲で回動することによって、貯留槽（30）内の水が撹拌部材（26）で撹拌され、水処理槽（10a）が給排水状態のときにおいて、水処理槽（10a）内の水と貯留槽（30）内の水とを効率よく入れ換えることができる。
【００６３】
《発明の実施形態２》
図１０〜図１２は、本実施形態の空気清浄装置を構成する駆動機構の揺動部材（25）の動作を説明するための第１〜第３の説明図である。
【００６４】
上記実施形態１では、底部が開閉しない水処理槽（10a）が取り付けられた揺動部材（25）を例示したが、本実施形態では、底部が開閉可能な水処理槽（10b）が取り付けられた揺動部材（25）を例示する。
【００６５】
揺動部材（25）に取り付けられた水処理槽（10b）は、図１０〜図１２に示すように、弁機構として、底板（15）を備えている。なお、本実施形態の空気清浄装置は、処理槽（10b）の構成以外、上記実施形態１の空気清浄装置（80a）と実質的に同じになっている。ここで、底板（15）は、図１０〜図１２に示すように、貯留槽（30）内の水処理槽（10b）の移動に連動して開閉するように構成されている。具体的に、底板（15）は、図１０に示すように、水処理槽（10b）が放電状態のときに閉じて水処理槽（10b）と貯留槽（30）との間を遮断するように構成されている。また、底板（15）は、図１１及び図１２に示すように、水処理槽（10b）が給排水状態のときに開いて水処理槽（10b）を貯留槽（30）と連通させるように構成されている。
【００６６】
―実施形態２の効果―
以上説明したように、本実施形態の空気清浄装置によれば、上記実施形態１の構成に加えて、水処理槽（10b）は、水処理槽（10b）の移動に連動して開閉する弁機構として底板（15）を備えている。ここで、底板（15）は、水処理槽（10b）が放電状態のときに閉じて水処理槽（10b）と貯留槽（30）との間を遮断するので、水処理槽（10b）が貯留槽（30）と非連通となり、水処理槽（10b）内の水と貯留槽（30）内の水とが電気的に絶縁され、貯留槽（30）内の水に電気が流れなくすることができる。また、底板（15）は、水処理槽（10b）が給排水状態のときに開いて水処理槽（10b）を貯留槽（30）と連通させるので、水処理槽（10b）内の水と貯留槽（30）内の水とを効率よく入れ換えることができる。
【００６７】
《発明の実施形態３》
図１３は、本実施形態の空気清浄装置（80b）の内部構造を側方から見た概略構成図である。
【００６８】
上記実施形態１では、除湿ユニットのない空気清浄装置（80a）を例示したが、本実施形態では、除湿ユニット（70）を備えた空気清浄装置（80b）を例示する。なお、本実施形態において、上記実施形態１の図１〜図９と同じ部分については同じ符号を付して、その詳細な説明を省略する。
【００６９】
空気清浄装置（80b）は、図１３に示すように、ケーシング（1）と、ケーシング（1）内に収納された空気清浄ユニット（45）、除湿ユニット（70）、加湿ロータ（50）、水処理ユニット（40）及びファン（60）とを備えている。ここで、ケーシング（1）の内部に形成された空気通路（5）内には、図１３に示すように、空気の流れの上流側から下流側に向かって、空気清浄ユニット（45）、除湿ユニット（70）、加湿ロータ（50）、水処理ユニット（40）及びファン（60）が順に設けられている。
【００７０】
＜除湿ユニット＞
除湿ユニット（70）は、図１３に示すように、除湿ロータ（71）と、ロータケーシング（72）と、循環ファン（73）と、除湿ヒータ（74）とを有している。
【００７１】
除湿ロータ（71）は、空気中の水分を捕捉して空気を除湿する除湿部を構成している。除湿ロータ（71）は、いわゆる回転式の吸着ロータである。つまり、除湿ロータ（71）は、空気が流通可能なハニカム構造の基材の表面に吸着剤（ゼオライトなど）が担持されて構成されている。除湿ロータ（71）は、モータなどの駆動機構に駆動される回転軸と共に回転自在となっている。
【００７２】
ロータケーシング（72）は、その上部寄りに円形の開口（図示省略）が形成されている。ロータケーシング（72）は、この円形開口の内部に除湿ロータ（71）を回転自在に保持している。これにより、空気通路（5）を流れる空気は、円形開口を介して除湿ロータ（71）を通過する。また、ロータケーシング（72）には、除湿ロータ（71）の吸着剤を再生するための空気が流れる循環通路（75）が形成されている。循環通路（75）は、除湿ロータ（71）の外回りに形成されており、この循環通路（75）に跨るように循環ファン（73）及び除湿ヒータ（74）が設けられている。すなわち、循環ファン（73）によって循環通路（75）内で搬送される空気は、除湿ヒータ（74）で加熱された後、除湿ロータ（71）の再生部を通過する。これにより、除湿ロータ（71）の吸着剤の水分が脱離して、この吸着剤が再生される。除湿ロータ（71）の吸着剤から水分を奪った空気は、ロータケーシング（72）の下部を流れる。このとき、循環通路（75）を流れる空気は、空気通路（5）を流れる空気によって冷却される。これにより、循環通路（75）内の空気中に含まれる水蒸気が凝縮して凝縮水が生成される。この凝縮水は、凝縮水通路（不図示）を通じて、貯留槽（30）へ送られる。
【００７３】
以上のように、空気清浄装置（80b）では、除湿ロータ（71）で捕捉された水が貯留槽（30）に回収される。つまり、空気清浄装置（80b）は、除湿ロータ（31）で回収した水を加湿水として利用できるように構成されている。
【００７４】
―運転動作−
次に、本実施形態の空気清浄装置（80b）の運転動作について説明する。ここで、空気清浄装置（80b）では、基本的に、水処理ユニット（40）において水の浄化運転が行われ、空気清浄ユニット（45）において室内空気を浄化しながら、加湿ロータ（50）において、浄化処理が行われた水を用いて加湿運転、又は除湿ユニット（70）において除湿運転が行われる。なお、本実施形態の空気清浄装置（80b）の水の浄化運転及び加湿運転は、上記実施形態１と実質的に同じである。そこで、以下には、空気清浄装置（80b）の除湿運転について説明する。
【００７５】
〈除湿運転〉
除湿運転では、除湿ロータ（71）が回転すると共に、除湿ヒータ（74）が通電状態となる。一方、加湿ロータ（50）は回転駆動されない。また、ファン（60）が運転されることで、室内の空気が吸込口（2）を通じて空気通路（5）内に導入される。同時に、循環ファン（73）が運転されることで循環通路（75）内を再生用空気が循環する。また、イオン化部（42）の電極に電圧が印加される。
【００７６】
ファン（60）が運転されると、室内の空気が吸込口（2）からケーシング（1）内の空気通路（5）に導入される。空気通路（5）に導入された空気は、プレフィルタ（41）を通過してそのプレフィルタ（41）で塵埃が捕捉された後、イオン化部（42）を通過する。イオン化部（42）では、電極間でコロナ放電が行われており、このコロナ放電により空気中の塵埃が帯電される。イオン化部（42）を通過した空気は、静電フィルタ（43）を通過する。静電フィルタ（43）では、イオン化部（42）で帯電した塵埃が電気的に誘引されて捕捉される。静電フィルタ（43）を通過した空気は、脱臭フィルタ（44）を流れる。脱臭フィルタ（44）では、空気中に含まれる被処理成分（臭気物質や有害物質）が除去される。脱臭フィルタ（44）を通過した空気は、ロータケーシング（72）の円形開口を介して除湿ロータ（71）を通過する。
【００７７】
除湿ロータ（71）において空気通路（5）の空気が流れる部位は、循環通路（75）を流れる再生用空気によって再生された状態となっている。このため、空気通路（5）を流れる空気中に含まれる水分が、除湿ロータ（71）の吸着剤に吸着される。その結果、除湿ロータ（71）を通過する空気が除湿される。以上のようにして清浄化及び除湿された空気は、吹出口（3）を通じて室内へ供給される。
【００７８】
このようにして、除湿運転が行われる。
【００７９】
―実施形態３の効果―
以上説明したように、本実施形態の空気清浄装置によれば、上記実施形態１の効果の他に、除湿運転で回収した水を用いて、加湿運転を行うことができると共に、除湿運転で回収した水に対して水の浄化運転を行うことができる。
【００８０】
《その他の実施形態》
上記実施形態１〜３では、貯留した水の中で放電を生起させる水処理槽（10a,10b）を備えた空気清浄装置を例示したが、本発明は、貯留した水の中で電気分解を生起させる水処理槽を備えた空気清浄装置にも適用することができる。
【００８１】
上記実施形態１〜３では、空気清浄装置を例示したが、本発明は、除湿装置や加湿装置などにも適用することができる。
【００８２】
なお、上記各実施形態は、本質的に好ましい例示であって、本発明、その適用物又はその用途の範囲を制限することを意図するものではない。
【産業上の利用可能性】
【００８３】
以上説明したように、本発明は、水中での放電によって水を浄化する水処理装置について有用である。
【符号の説明】
【００８４】
Ｍ        駆動モータ
１０ａ，１０ｂ    水処理槽
１１      仕切板
１２ｈ    貫通孔
１５      底板（弁機構）
１６      第１電極（一対の電極の一方）
１７      第２電極（一対の電極の他方）
２５      揺動部材
２６      撹拌部材
３０      貯留槽
５０      加湿ロータ
５５      駆動機構
８０ａ，８０ｂ    空気清浄装置（水処理装置）
【図１】
2016123926.tif 000003
【図２】
2016123926.tif 000004
【図３】
2016123926.tif 000005
【図４】
2016123926.tif 000006
【図５】
2016123926.tif 000007
【図６】
2016123926.tif 000008
【図７】
2016123926.tif 000009
【図８】
2016123926.tif 000010
【図９】
2016123926.tif 000011
【図１０】
2016123926.tif 000012
【図１１】
2016123926.tif 000013
【図１２】
2016123926.tif 000014
【図１３】
2016123926.tif 000015